(57)【要約】【課題】小型化するともに、基板に取り付けた電子部品と外装部品との干渉を防止することができる画像形成装置を提供する。【解決手段】筐体と、一面に素子が配置された電源基板と、筐体に取り付けられ電源基板の他面を保持する保持部材と、筐体に取り付けられ電源基板の少なくとも一部を覆う外装部材と、一端が保持部材に取り付けられ電源基板を貫通して他端が外装部材の内面に向かって突出するように設けられた支柱部材と、を備え、支柱部材は一端に軸方向に突出する差し込み片を有し、保持部材の上面に支柱部材の前記差し込み片を差し込むための孔部が設けられている。【選択図】図６
2018024172.tif 000002
【特許請求の範囲】
【請求項１】
筐体と、
一面に素子が配置された電源基板と、
前記筐体に取り付けられ前記電源基板の他面を保持する保持部材と、
前記筐体に取り付けられ前記電源基板の少なくとも一部を覆う外装部材と、
一端が前記保持部材に取り付けられ前記電源基板を貫通して他端が前記外装部材の内面に向かって突出するように設けられた支柱部材と、を備えた、
ことを特徴とする外装部材支持構造。
【請求項２】
前記支柱部材は前記一端に軸方向に突出する差し込み片を有し、前記保持部材の上面に前記支柱部材の前記差し込み片を差し込むための孔部が設けられている、
ことを特徴とする請求項１に記載の外装部材支持構造。
【請求項３】
前記支柱部材は、前記差し込み片が前記孔部に差し込まれた状態で前記保持部材に対して回転不能に係合する、
ことを特徴とする請求項２に記載の外装部材支持構造。
【請求項４】
前記支柱部材は、前記差し込み片が前記孔部に差し込まれた状態で前記電源基板側から視認不能になる位置に凸部又は凹部を有する、
ことを特徴とする請求項２に記載の外装部材支持構造。
【請求項５】
前記外装部材の内面に、前記支柱部材の前記他端と接触可能なリブ部が形成されている、
ことを特徴とする請求項１ないし４のいずれか１項に記載の外装部材支持構造。
【請求項６】
前記保持部材は、前記支柱部材が取り付けられる前記孔部が形成された範囲で前記支柱部材の軸線方向に沿うように切り起こされて前記筐体と接触する突き当て部を有する、
ことを特徴とする請求項１ないし５のいずれか１項に記載の外装部材支持構造。
【請求項７】
記録媒体を収容して送り出す給紙手段と、
トナー像が形成される像形成ユニットと、
前記トナー像を前記記録媒体に転写する転写手段と、
前記転写手段によって前記記録媒体に転写された画像を定着させる定着手段と、
請求項１ないし６のいずれか１項に記載の外装部材支持構造と、を含む、
ことを特徴とする画像形成装置。
【発明の詳細な説明】
【技術分野】
【０００１】
本発明は、外装部材支持構造及び画像形成装置に関する。
【背景技術】
【０００２】
ユニットカバーのポリゴン走査部に対向する部位には、ポリゴン走査部に向け、ポリゴン走査部近傍部位まで突設された支持部が一体に形成されており、支持部のポリゴン走査部側の表面には、スポンジ部材からなるパッドが配置されており、画像形成装置の運搬時に、画像形成装置に衝撃／振動が加わり、ポリゴン走査部が上方に変位しても、支持部のスポンジ部材にポリゴンミラーがすぐに当接することにより、ポリゴン走査部が破損しにくいように構成されている画像形成装置が知られている（特許文献１）。
【先行技術文献】
【特許文献】
【０００３】
【特許文献１】特開２００８−１７０８０４号公報
【発明の概要】
【発明が解決しようとする課題】
【０００４】
本発明は、小型化するともに、基板に取り付けた電子部品と外装部品との干渉を防止することができる画像形成装置を提供することを目的とする。
【課題を解決するための手段】
【０００５】
前記課題を解決するために、請求項１に記載の外装部材支持構造は、
筐体と、
一面に素子が配置された電源基板と、
前記筐体に取り付けられ前記電源基板の他面を保持する保持部材と、
前記筐体に取り付けられ前記電源基板の少なくとも一部を覆う外装部材と、
一端が前記保持部材に取り付けられ前記電源基板を貫通して他端が前記外装部材の内面に向かって突出するように設けられた支柱部材と、を備えた、
ことを特徴とする。
【０００６】
請求項２記載の発明は、請求項１に記載の外装部材支持構造において、
前記支柱部材は前記一端に軸方向に突出する差し込み片を有し、前記保持部材の上面に前記支柱部材の前記差し込み片を差し込むための孔部が設けられている、
ことを特徴とする。
【０００７】
請求項３記載の発明は、請求項２に記載の外装部材支持構造において、
前記支柱部材は、前記差し込み片が前記孔部に差し込まれた状態で前記保持部材に対して回転不能に係合する、
ことを特徴とする。
【０００８】
請求項４記載の発明は、請求項２に記載の外装部材支持構造において、
前記支柱部材は、前記差し込み片が前記孔部に差し込まれた状態で前記電源基板側から視認不能になる位置に凸部又は凹部を有する、
ことを特徴とする。
【０００９】
請求項５記載の発明は、請求項１ないし４のいずれか１項に記載の外装部材支持構造において、
前記外装部材の内面に、前記支柱部材の前記他端と接触可能なリブ部が形成されている、
ことを特徴とする。
【００１０】
請求項６記載の発明は、請求項１ないし５のいずれか１項に記載の外装部材支持構造において、
前記保持部材は、前記支柱部材が取り付けられる前記孔部が形成された範囲で前記支柱部材の軸線方向に沿うように切り起こされて前記筐体と接触する突き当て部を有する、
ことを特徴とする。
【００１１】
前記課題を解決するために、請求項７に記載の画像形成装置は、
記録媒体を収容して送り出す給紙手段と、
トナー像が形成される像形成ユニットと、
前記トナー像を前記記録媒体に転写する転写手段と、
前記転写手段によって前記記録媒体に転写された画像を定着させる定着手段と、
請求項１ないし６のいずれか１項に記載の外装部材支持構造と、を含む、
ことを特徴とする。
【発明の効果】
【００１２】
請求項１、７に記載の発明によれば、支柱部材を有しない構成に比して、装置本体を小型化しつつ、装置本体に外部から力が加わった際に電源基板の損傷を抑制することができる。
請求項２、３に記載の発明によれば、支柱部材を電源基板の保持部材に容易に、かつ、確実に取り付けることができる。
請求項４に記載の発明によれば、支柱部材を電源基板の保持部材に確実に取り付けることができる。
請求項５に記載の発明によれば、装置本体に外部から力が加わった際に外装部材の損傷を抑制することができる。
請求項６に記載の発明によれば、装置本体に外部から力が加わった際に保持部材の撓みを抑制することができる。
【図面の簡単な説明】
【００１３】
【図１】（ａ）は画像形成装置の外観全体を示す斜視図、（ｂ）は一部の外装部材を除いて電源基板の配置を示す斜視図である。
【図２】画像形成装置の内部構成を示す縦断面図である。
【図３】低圧電源基板が筐体に取り付けられた状態を示す斜視図である。
【図４】（ａ）は支柱部材の保持部材への取り付けを示す斜視図、（ｂ）は支柱部材が保持部材に取り付けられた状態を示す斜視図である。
【図５】（ａ）は支柱部材全体を示す斜視図、（ｂ）は支柱部材の縦断面図である。
【図６】外装カバーの内面の一部を示す背面図である。
【図７】外装部材支持構造を示す断面模式図である。
【発明を実施するための形態】
【００１４】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１５】
（１）画像形成装置の全体構成及び動作
図１（ａ）は画像形成装置１の外観全体を示す斜視図、（ｂ）は一部の外装部材を除いて電源基板の配置を示す斜視図、図２は画像形成装置１の内部構成を示す縦断面図である。
以下、図面を参照しながら、画像形成装置１の全体構成及び動作を説明する。  
【００１６】
（１．１）全体構成
画像形成装置１は、電子写真方式によって画像を形成する画像形成部２を有している。画像形成部２は、筐体Ｆ内に、給紙装置２０、感光体ユニット３０、現像装置４０、転写装置５０、定着装置６０、電源装置としての低圧電源基板７０が配置され（図２において破線で図示）、筐体Ｆは外装部材としての分割された複数の外装カバー３で覆われて構成されている。
【００１７】
（１．２）画像形成部
画像形成部２の底部には、多数の記録媒体としての用紙Ｐが積載された給紙装置２０が設けられ、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００１８】
感光体ユニット３０は、給紙装置２０の上方（Ｚ方向）に、それぞれが並列して設けられ、回転駆動する感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００１９】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストローラ対２３から送り出され、搬送ガイドにより案内された用紙Ｐに二次転写ローラ５２によって一括転写される。
【００２０】
転写装置５０においてトナー像が一括転写された用紙Ｐは、トナー像が未定着の状態で定着装置６０に搬送され、一対の加熱モジュール６１と加圧モジュール６２により、加熱と圧着の作用でトナー像が定着される。
定着トナー像が形成された用紙Ｐは、搬送ガイドによってガイドされ、排出ローラ対６９から画像形成部２の上面（Ｚ方向）に形成された排出トレイ部Ｔに排出・収容される。
【００２１】
（２）外装部材支持構造
図３は低圧電源基板７０が筐体に取り付けられた状態を示す斜視図、図４（ａ）は支柱部材８０の保持部材９０への取り付けを示す斜視図、（ｂ）は支柱部材８０が保持部材９０に取り付けられた状態を示す斜視図、図５（ａ）は支柱部材８０の斜視図、（ｂ）は支柱部材８０の縦断面図、図６は外装カバー３の内面の一部を示す背面図、図７は外装部材支持構造を示す断面模式図である。
以下、図面を参照しながら本実施形態に係る外装部材支持構造の構成について説明する。
【００２２】
（２．１）低圧電源基板
図３に示すように、電源基板の一例としての低圧電源基板７０が、筐体Ｆと外装カバー３との間に保持部材９０を介して配置されている。
低圧電源基板７０の基板本体７１は、全体が矩形の板状体であり、保持部材９０に対して裏面７０ｂが間隔を空けて取り付けられている。基板本体７１の一面としての表面７０ａには、交流電圧を全波整流するブリッジ整流ダイオード、全波整流された整流電圧を平滑する平滑コンデンサ、スイッチング制御デバイス、発熱素子であるスイッチング制御デバイスが固定されたヒートシンク等の複数の素子が実装され、外装カバー３の内面３ａと間隔Ｇを空けて配置されている（図７  参照）。
【００２３】
複数の素子のうち、スイッチング制御デバイスは発熱素子であり、ヒートシンク７２に固定されている。ヒートシンク７２は、限られたスペースで放熱効果を大きくするために、外装カバー３の内面３ａに向かって、その高さＨ（図３  参照）を高くするように配置されている。
【００２４】
（２．２）支柱部材
図５に示すように、支柱部材８０は、全体が軸線方向に比較的長い円柱状の合成樹脂製の中空柱部材であり、一端には軸線方向に突出する差し込み片８１が形成されている。差し込み片８１は、２箇所に形成され、後述する保持部材９０に形成された孔部９１に差し込まれて位置決めがなされた状態でネジ固定される（図４（ａ）  参照）。
【００２５】
支柱部材８０の他端は、軸線方向と交差する方向に平坦な中空筒状のリング部８２となっており、保持部材９０に取り付けられた状態で、低圧電源基板７０の基板本体７１を貫通して、外装カバー３の内面３ａに形成されたリブ部３ｂと向き合う。
【００２６】
支柱部材８０の一端側の外面８０ａには、周方向に複数の凸部８３が形成されている。凸部８３は、支柱部材８０の外面８０ａから外側に向かって突出し、支柱部材８０が保持部材９０にネジ固定された状態では、低圧電源基板７０側からは視認できない位置に形成されている。
具体的には、図７に示すように、凸部８３は、差し込み片８１の先端と凸部８３との軸線方向に沿った距離をＡ、支柱部材８０が保持部材９０にネジ固定された状態で、基板本体７１の表面７１ａと凸部８３との軸線方向に沿った距離をＢ、として、Ａ＞Ｂの関係となる位置に形成されている。
尚、凸部８３は、これに限らず、凹部８４（不図示）として形成されてもよい。
【００２７】
（２．３）保持部材
図４（ａ）に示すように、保持部材９０には、支柱部材８０の差し込み片８１が差し込まれて位置決めされる孔部９１が形成されている。孔部９１は、差し込み片８１の断面形状に対応して、円弧状に形成され、支柱部材８０の差し込み片８１が差し込まれた状態では、支柱部材８０が回転不能となる回転止めの機能を有している。
【００２８】
孔部９１が形成された中央部には、バーリング加工されたバーリング孔９２が形成され、支柱部材８０が、差し込み片８１が孔部９１に差し込まれて位置決めされた状態でネジＳでネジ固定される（図４（ｂ）、図６  参照）。
【００２９】
孔部９１が形成された領域の側方には孔部９１が形成された範囲で、取り付けられた支柱部材８０の軸線方向に沿うように切り起こされた突き当て部９３が形成されている。
突き当て部９３は、筐体Ｆの一面と接触して、支柱部材８０が外部から軸線方向の外力を受けた際に、支柱部材８０を支持する保持部材９０の撓みを抑制している。
【００３０】
このように構成される保持部材９０に支柱部材８０がネジ固定された状態（図４（ｂ）  参照）では、支柱部材８０が低圧電源基板７０の基板本体７１に形成された孔７３を貫通してリング部８２がヒートシンク７２よりも外装カバー３側に突出した状態になる（図３  参照）。
【００３１】
（２．４）外装カバー
外装カバー３は、筐体Ｆの内部及び低圧電源基板７０を覆うように筐体Ｆに取り付けられている。図６に示すように、外装カバー３の内面３ａには、保持部材９０に取り付けられ低圧電源基板７０の基板本体７１を貫通して突出する支柱部材８０のリング部８２に対向する位置にリブ部３ｂが形成されている。
【００３２】
図７に示すように、外装カバー３は、筐体Ｆに取り付けられた状態でリブ部３ｂが支柱部材８０のリング部８２と接触している。外装カバー３は、リブ部３ｂ以外の内面３ａの一部は、間隔Ｇを保持するようにして筐体Ｆに取り付けられている。
本実施形態における画像形成装置１においては、間隔Ｇを例えば５〜６ｍｍ程度に狭くして装置全体の小型化を図っている。
【００３３】
（３）外装部材支持構造の作用
図７には、筐体Ｆと外装カバー３との間に低圧電源基板７０が保持部材９０を介して配置され、保持部材９０からは低圧電源基板７０を貫通して支柱部材８０が外装カバー３に向かって突出して取り付けられている断面視の外装部材支持構造が示されている。
【００３４】
表面７０ａに多数の素子が実装された低圧電源基板７０は、筐体Ｆに対して保持部材９０を介して取り付けられている。保持部材９０の一面には、支柱部材８０が差し込み片８１を差し込まれた状態でネジ固定されて立設されている。
保持部材９０に立設された支柱部材８０は、低圧電源基板７０の基板本体７１に形成された孔７１ａを貫通して突出し、先端のリング部８２が外装カバー３の内面３ａに形成されたリブ部３ｂと接触している。
【００３５】
この状態で、低圧電源基板７０に最も高く実装されたヒートシンク７２と外装カバー３の内面３ａとは、狭い間隔Ｇを保っている。係る状態で、外装カバー３に外部から外力が作用して外装カバー３が内側（低圧電源基板７０側）に撓むように変形しようとした場合、外装カバー３は支柱部材８０と当接して内側への移動が抑制される。
【００３６】
外装カバー３の内面３ａが当接する支柱部材８０は、支柱部材８０を支持する保持部材９０が突き当て部９３を介して筐体Ｆに突き当たって配置されているために、内側への移動が制限されて外装カバー３と低圧電源基板７０の素子との間隔を保持することができる。
そのために、画像形成装置１の外装カバー３に外力が作用した場合にも、装置の小型化を図りながら、外装カバー３の低圧電源基板７０の素子への衝突を防止して低圧電源基板７０の損傷を抑制することができる。
【符号の説明】
【００３７】
１・・・画像形成装置
２・・・画像形成部
３・・・外装カバー
１０・・・制御装置
２０・・・給紙装置
３０・・・感光体ユニット
４０・・・現像ユニット
５０・・・転写装置
６０・・・定着装置
７０・・・低圧電源基板
７１・・・基板本体
７２・・・ヒートシンク
８０・・・支柱部材
８１・・・差し込み片
８２・・・リング部
８３・・・凸部
９０・・・保持部材
９１・・・孔部
９２・・・バーリング孔
９３・・・突き当て部
Ｆ・・・筐体
【図１】
2018024172.tif 000003
【図２】
2018024172.tif 000004
【図３】
2018024172.tif 000005
【図４】
2018024172.tif 000006
【図５】
2018024172.tif 000007
【図６】
2018024172.tif 000008
【図７】
2018024172.tif 000009